(57)【要約】【課題】  柱などの携行品を、倒れない状態で支持するために用いることができ、かつ使用に安全な動物や人形などの縫いぐるみの構成とした携行品用愛玩掛止具の提供。【解決手段】  杖１などの携行品の柄２や軸杆３、または手提げ紐１０に着脱自在の挟持部を備えた動物、人形などの縫いぐるみ４で形成され、この縫いぐるみ４の一部に紐を介して設けた机や壁、柱などの表面に着脱自在の吸着盤８と、前記紐１０を環状に形成して壁などの掛止具などに掛架できる環状部１０ａを付設して成ることを特徴とする杖などの携行品用愛玩掛止具。【選択図】        図１
2005087288.tif 000002
【特許請求の範囲】
【請求項１】
杖などの携行品の柄や軸杆、または手提紐に着脱自在の挟持部を備えた動物、人形などの縫いぐるみで形成され、この縫いぐるみの一部に紐を介して設けた机や壁、柱などの表面に着脱自在の吸着盤と、前記紐を環状に形成して壁などの掛止具などに掛架できる環状部を付設して成ることを特徴とする杖などの携行品用愛玩掛止具。
【請求項２】
着脱自在の挟持部は、縫いぐるみの手足の一方または双方に押圧係止，引張離開可能の構成のものを用い、杖などの携行品の柄や軸杆または紐に縫いぐるみが抱持した形態で取付けられるようにして成ることを特徴とする請求項１記載の杖などの携行品用愛玩掛止具。
【請求項３】
吸着盤を取付けた紐の他端は、動物の縫いぐるみの場合は、首輪の取付けられる処に設けて成ることを特徴とする請求項１記載の杖などの携行品用愛玩掛止具。
【発明の詳細な説明】
【技術分野】
【０００１】
この発明は、主として老人や身障者さらには歩行困難な人々が用いる杖を対象とし、併せて若者が携行する、鞄，バッグなどの携行品を、卓上，壁面または柱などに一時的に固定することができるようにした杖などの携行品用愛玩掛止具に関する。
【背景技術】
【０００２】
一般に、老人など歩行に困難または不自由な人々は、杖を常用携行している。この杖は概して手が把持できる頂部の柄部と、この柄部に続く軸杆で構成されている。
【０００３】
そして、歩行途中で椅子などに腰掛けて休憩したりする場合は、杖の場合、机に立て掛けたり、壁やつい立てに添って起立させたりして対応しているが、中々、確実に起立させることができず、往々にして音をたてて杖を倒したりして床上や地上に落下させて了う。
【０００４】
したがって、その杖の倒落を防ぐために、机や卓上に杖の軸杆に取付けられる折畳開閉自在の固定板を載置したり（特許文献１）、或は杖に軸杆に着脱自在のクリップを有する簡易保持具をベルトなどに引掛けて杖などの携行品を身から離さないようにしたり（特許文献２）した構成のものなどが知られている。
【特許文献１】実用新案登録第３００８４５７号公報
【特許文献２】特開平９−３１３２２５号公報
【発明の開示】
【発明が解決しようとする課題】
【０００５】
このような従来の技術では、単に杖などの携行品を机とか卓上に固定板で固定させたり、使用者の身体に簡易保持具を介してベルトなどと係止させて身体から離脱しないようにしただけであって、身障者や老人など杖などを使用する人の立場に立った配慮がなされていない。
【０００６】
しかも、杖などへの取付けも簡単な着脱手段で行っておらず、取付けるもの自体も、使用者に配慮した構成、形状を備えていない。
【０００７】
その上、杖などの長尺物の一時固定に対して卓上とか使用者への固着などであり、壁とか柱、間仕切りなどに簡単に係止できないという問題があった。
【０００８】
この発明は叙上の点に着目して成されたもので、杖やハンドバックなどの携行品に着脱自在の着脱手段を有する掛止具を、動物，人形などに擬した可愛らしい縫いぐるみとして形成し、かつこの縫いぐるみに、環状に形成した紐に吸着盤を取付けて、卓上や柱壁などに簡単に係止させて、杖などの携行品を起立整理したり、壁などの掛止具に紐の環状部を掛架して吊下保持させることができるようにした杖などの携行品用愛玩掛止具を提供することを目的とする。
【課題を解決するための手段】
【０００９】
この発明は、以下の構成によって上記課題を解決できる。
【００１０】
（１）杖などの携行品の柄や軸杆、または手提紐に着脱自在の挟持部を備えた動物、人形などの縫いぐるみで形成され、この縫いぐるみの一部に紐を介して設けた机や壁、柱などの表面に着脱自在の吸着盤と、前記紐を環状に形成して壁などの掛止具などに掛架できる環状部を付設して成ることを特徴とする杖などの携行品用愛玩掛止具。
【００１１】
（２）着脱自在の挟持部は、縫いぐるみの手足の一方または双方に押圧係止，引張離開可能の構成のものを用い、杖などの携行品の柄や軸杆または紐に縫いぐるみが抱持した形態で取付けられるようにして成ることを特徴とする前記（１）記載の杖などの携行品用愛玩掛止具。
【００１２】
（３）吸着盤を取付けた紐の他端は、動物の縫いぐるみの場合は、首輪の取付けられる処に設けて成ることを特徴とする前記（１）記載の杖などの携行品用愛玩掛止具。
【発明の効果】
【００１３】
この発明によれば、杖などの携行品に、その使用者の好みの動物や人形などの縫いぐるみを、着脱自在に取付けると共に、この縫いぐるみに設けた吸着盤により、机，卓上或は壁，柱，間仕切りなどに吸着させることにより、倒れ易い杖や卓上などに止着できないハンドバックなどを一時的に掛止めできる。さらに縫いぐるみと吸着盤とを結んだ紐の環状部を、壁などの掛止具に掛架吊下げさせることができる。その上、使用時は勿論こと、不使用時でも杖などから取り外して手元に置くことができ、縫いぐるみが使用者の心を癒してくれるもので快適に使用できる。
【発明を実施するための最良の形態】
【００１４】
以下に、この発明の実施例の一例を説明する。
【実施例】
【００１５】
以下に、この発明の一実施例を、杖を用いた場合について説明する。
【００１６】
１は、一般に用いられる携行品としての杖、２は、この杖１の把持部に相当する頂部の柄、３は、その下部に設けられる軸杆である。
【００１７】
４は、前記杖１の柄２の下部とか、軸杆３の上部に着脱自在に取付けられる縫いぐるみで、犬，猫などの動物とか人形などを、可愛いくかつソフトに起毛繊維など、使用者に安全な素材、例えば布生地とか、柔軟な合成樹脂材料とか、ソフトな皮革な材料を用いて、キャラクター性豊かな可愛い犬や猫、その他の動物とか、人形などを形どっており、一見して使用者の心を癒してくれる縫いぐるみを総称している。
【００１８】
５は、縫いぐるみ４に設けられる挟持部で、図示では犬の縫いぐるみ４の左右の二本の前足（人間の手に相当）６，６の下部内側に、押圧係止，引張離開する構成の部材７（マジックテープ（登録商標））を用いて構成してあるが、スナップ釦など、他の着脱自在の構成のものでも実施できる。
【００１９】
なお、図示していないが、挟持部５は犬の縫いぐるみの左右の二本の後足（人間の足に相当）に、同様の押圧係止，引張離開する構成のものを設けて、挟持の確実性を測っても良い。そして、これらの挟持部５は縫いぐるみ４の外表面からは見られない位置に隠蔽された状態で設けるのが好ましい。
【００２０】
さらに、この挟持部５に加えて、縫いぐるみの内側腹部に沿って、図示のように粘着ないし接着性または滑りにくい材料７ａを付設し、軸杆３の外周位置に確実に、一体的に粘着固着して、縫いぐるみ４が簡単に外れないよう軸杆３の外表面と強固に接着することも可能である。
【００２１】
８は吸着盤を示し、例えば、一般に知られる可撓変形する椀型の吸着部８１と、この吸着部８１の頂部中央に設けた支持部８２から成るゴムとが柔軟プラスチック材料などで形成されるもので、この支持部８２の孔９に紐１０を環状に挿通して環状部１０ａを形成し乍ら、この紐１０の他端を犬の縫いぐるみ４の首輪の取付箇所に結着するものである。なお、この紐１０の縫いぐるみ４への結着箇所は、必ずしも特定されるものでなく自由である。
【００２２】
以上の構成より成るので、杖１を携行品として利用する場合、犬の縫いぐるみ４の挟持部５として二本の前足６，６を杖の柄２の下部に設けた軸杆３のできるだけ上部に抱持するように捲き込み、商品名マジックテープ（登録商標）として知られる押圧掛止引張離開の部材７を押圧して縫いぐるみ４を杖１に確固に一体的に取付けることができる（図２参照）。
【００２３】
したがって、使用者は、この縫いぐるみ４と一緒に連れ添って、杖１を使用できるので、快適に歩行できると共に、この縫いぐるみ４に設けた紐１０に設けた吸着盤８を用い、例えばテーブルの卓上とか使用者の回りにある柱とか、間仕切り、壁に吸着させることにより、杖１を倒すことなく立て掛けることができる（図３（ａ）（ｂ）参照）。
【００２４】
また、柱や壁などにフックなどの掛止具がある場合は、吸着盤８を結ぶ紐１０には環状部１０ａが設けられているので、この環状部１０ａを利用して掛止具に引掛けて吊下させることもできる（図３（ｃ）参照）。
【００２５】
立て掛けられた杖１には、使用者の好きな可愛らしい縫いぐるみ４が杖１に一体的に取付けられているので、手の届く所では、縫いぐるみ４を撫でて心を癒すこともできる。
【００２６】
以上は、携行品を杖１とした場合であるが、若者など、自分の好みの縫いぐるみをハンドバッグなどの手提げ紐に取付けることにより、同様にその吸着盤を卓上、柱等に固定、吊下げできるので、両手の不自由なく食事などを楽しめることも可能である。
【００２７】
また、この縫いぐるみ４自体が卓上などでスベリ止めとなって吸着盤８と相乗作用を奏し得るので、一時的な掛止効果を確実にできる。
【００２８】
さらに、使用時は勿論のこと、不使用時にはこの縫いぐるみを取り外してマスコットとして使用者は楽しむことが出来る。
【００２９】
また、全体が柔軟な縫いぐるみで構成されているので、使用者に対して使用中、倒れても安全性が確保でき、またいつでも縫いぐるみを手で押したり、撫でたり、本物のペットや子供と接するように楽しむことができる。
【００３０】
なお、図示しないが、縫いぐるみ４には、その内部に袋部を設けてファスナーで開閉して各種小物品の収納を可能にしたり、名札を一体的に設けて、氏名，住所，電話番号を記入して使用者を確認できるようにすることもできる。
【産業上の利用可能性】
【００３１】
この発明によれば、杖などの携行品の柄や軸杆、さらには女性のハンドバックの手提紐に、簡単に着脱取付けできる動物や人形などの縫いぐるみを用い、これに紐を介して吸着盤を一体に設けて、机や卓上さらには塀や柱など、吸着させたり、環状部を用いて掛止吊下させることができるようにできる。
【図面の簡単な説明】
【００３２】
【図１】この発明に係る杖などの携行品用愛玩係止具を犬とした場合の平面図
【図２】杖の軸杆に係止させた状態の拡大断面図
【図３（ａ）】杖に使用した場合の側面図で、卓上で係止させた場合を示す
【図３（ｂ）】杖に使用した場合の側面図で、壁などの面に吸着掛止した場合を示す
【図３（ｃ）】杖に使用した場合の側面図で、壁などの鈎状の掛止具に紐の環状部で掛架吊下させた場合を示す
【符号の説明】
【００３３】
１    杖
２    杖の柄
３    軸杆
４    縫いぐるみ
５    挟持部
６    前足
７    押圧掛止引張離開の部材
７ａ  粘着ないし接着性の材料
８    吸着盤
８１  吸着部
８２  支持部
９    孔
１０    紐
１０ａ  環状部
【図１】
2005087288.tif 000003
【図２】
2005087288.tif 000004
【図３（ａ）】
2005087288.tif 000005
【図３（ｂ）】
2005087288.tif 000006
【図３（ｃ）】
2005087288.tif 000007